(57)【特許請求の範囲】
【請求項１】
表示部へのタッチ操作を検出可能なタッチ検出手段と、
少なくとも、撮像部の撮像方向と、反対方向の一方に表示方向を選択的に変更可能な表示部と、
前記表示部にタッチ操作を受け付ける所定のアイテムが表示される第一の状態と、前記所定のアイテムが表示されない第二の状態とのいずれかに前記表示部の状態を切り替え可能な切替手段と、
前記表示部が前記第二の状態でかつ、前記表示部の表示方向が前記反対方向の場合には前記表示部へタッチ操作が行われても前記第二の状態から前記第一の状態に切り替わらず、前記表示部が前記第二の状態でかつ、前記表示部の表示方向が前記撮像方向の場合には前記表示部へのタッチ操作に応じて前記第二の状態から前記第一の状態に切り替わるように制御する制御手段とを有することを特徴とする撮像装置。
【請求項２】
前記表示部の表示方向が前記反対方向である場合には、前記表示部が本体部に対して反転していない位置にあり、前記表示部の表示方向が前記撮像方向である場合には、前記表示部が前記本体部に対して反転している位置にあることを特徴とする請求項１に記載の撮像装置。
【請求項３】
前記制御手段は、前記第一の状態で行われた前記表示部へのタッチ操作に応じて所定の機能を実行し、前記表示部の表示方向が前記撮像方向でかつ、前記第二の状態で行われたタッチ操作に応じて、前記所定の機能を実行することなく、前記表示部の状態を前記第二の状態から前記第一の状態に切り替えるように制御することを特徴とする請求項１または２に記載の撮像装置。
【請求項４】
前記切替手段は、ユーザからの操作を所定期間、受け付けなかったことに応じて、前記第一の状態から前記第二の状態に切り替えることを特徴とする請求項１乃至３の何れか１項に記載の撮像装置。
【請求項５】
前記制御手段は、前記第一の状態の場合には、前記表示部に前記撮像部により撮像されたライブビュー画像を表示し、前記第二の状態の場合には、前記表示部に前記ライブビュー画像を表示しないように制御することを特徴とする請求項１乃至４の何れか１項に記載の撮像装置。
【請求項６】
前記第二の状態の場合には、前記表示部が消灯していることを特徴とする請求項１乃至５の何れか１項に記載の撮像装置。
【請求項７】
前記制御手段は、前記表示部が前記第一の状態の場合には、前記表示部へのタッチ操作での撮影指示に応じて撮影を行うように制御することを特徴とする請求項１乃至６の何れか１項に記載の撮像装置。
【請求項８】
少なくともダイヤルまたはボタンを含む操作部材をさらに有し、
前記制御手段は、前記表示部が前記第二の状態である際に、前記操作部材への操作が行われたことに応じて前記第二の状態から前記第一の状態に切り替わるように制御することを特徴とする請求項１乃至７の何れか１項に記載の撮像装置。
【請求項９】
前記表示部へのタッチ操作または他の操作部材への操作を検出してから経過時間を計測する計測手段をさらに有し、
前記切替手段は、前記計測手段で計測した前記経過時間に応じて前記表示部の状態を前記第一の状態から前記第二の状態に切り替え、
前記制御手段は、前記表示部の表示方向が前記反対方向の場合には、前記表示部のうちタッチ操作に応じて機能を実行するアイテムへのタッチ操作に応じて前記経過時間をリセットし、タッチ操作に応じて機能を実行しない所定の領域へのタッチ操作に応じては前記経過時間をリセットせず、前記表示部の表示方向が前記撮像方向の場合には、タッチ操作が行われた領域に関わらず前記経過時間をリセットするように前記計測手段を制御することを特徴とする請求項１乃至８の何れか１項に記載の撮像装置。
【請求項１０】
前記制御手段は、前記表示部の表示方向が前記反対方向の場合には、第一の期間、ユーザからの操作を受け付けなかったことに応じて、前記第一の状態から前記第二の状態に切り替わり、前記表示部の表示方向が前記撮像方向の場合には、前記第一の期間よりも長い第二の期間、ユーザからの操作を受け付けなかったことに応じて、前記第一の状態から前記第二の状態に切り替わるように前記切替手段を制御する請求項１乃至９の何れか１項に記載の撮像装置。
【請求項１１】
前記第一の状態には、前記表示部の明るさが第一の明るさの場合と、前記第一の明るさよりも暗い第二の明るさの場合とが含まれ、
前記制御手段は、前記表示部の明るさを、所定期間よりも短い期間、ユーザからの操作を受け付けなかったことに応じて第一の明るさから第二の明るさに切り替え、
前記表示部が前記第二の明るさである際に、前記表示部へのタッチ操作に応じて前記第二の明るさから前記第一の明るさに切り替えるように制御することを特徴とする請求項１乃至１０の何れか１項に記載の撮像装置。
【請求項１２】
撮影指示をする撮影者自身が被写体となる自分撮りモードを含む複数の撮影モードから撮影モードを設定する設定手段とをさらに有し、
前記制御手段は、前記設定手段により撮影モードが前記自分撮りモードに設定された場合には、前記表示部が前記第二の状態である際に、前記表示部へのタッチ操作に応じて前記第二の状態から前記第一の状態に切り替わるように前記切替手段を制御することを特徴とする請求項１乃至１１の何れか１項に記載の撮像装置。
【請求項１３】
前記制御手段は、前記表示部が消灯している場合には、所定値以上のタッチ面積のタッチ操作が行われても前記タッチ操作に応じた機能を実行せず、前記所定値より小さいタッチ面積のタッチ操作が行われたことに応じて前記タッチ操作に応じた機能を実行し、前記表示部が消灯していない場合には、タッチ面積に関わらず、行われたタッチ操作に応じた機能を実行するように制御することを特徴とする請求項１乃至１２の何れか１項に記載の撮像装置。
【請求項１４】
少なくとも、撮像部の撮像方向と、反対方向の一方に表示方向を選択的に変更可能な表示部を有する撮像装置の制御方法であって、
前記表示部へのタッチ操作を検出可能なタッチ検出ステップと、
前記表示部にタッチ操作を受け付ける所定のアイテムが表示される第一の状態と、前記所定のアイテムが表示されない第二の状態とのいずれかに前記表示部の状態を切り替え可能な切替ステップと、
前記表示部が前記第二の状態でかつ、前記表示部の表示方向が前記反対方向の場合には前記表示部へタッチ操作が行われても前記第二の状態から前記第一の状態に切り替わらず、前記表示部が前記第二の状態でかつ、前記表示部の表示方向が前記撮像方向の場合には前記表示部へのタッチ操作に応じて前記第二の状態から前記第一の状態に切り替わるように制御する制御ステップとを有することを特徴とする撮像装置の制御方法。
【請求項１５】
コンピュータを、請求項１乃至１３のいずれか１項に記載された撮像装置の各手段として機能させるためのプログラム。
【請求項１６】
コンピュータを、請求項１乃至１３のいずれか１項に記載された撮像装置の各手段として機能させるためのプログラムを格納したコンピュータが読み取り可能な記録媒体。
【発明の詳細な説明】
【技術分野】
【０００１】
本発明は、表示部へのタッチ操作を検出可能な撮像装置及びその制御方法に関し、特にタッチ操作の受付制御の技術に関する。
【背景技術】
【０００２】
従来、所定時間操作が行われなかった場合に消費電力を低減した節電状態に移行し、ユーザからの操作を受け付けた場合に節電状態から復帰する電子機器が知られている。特許文献１には、電源がオフの状態で、センサ動作切替部材によって動作状態に切替えられると、タッチパネルへのタッチ操作によって電源がオンになるものが提案されている。一方、特許文献２には、表示部を撮像方向側に反転させた状態で、表示部へのタッチ操作で撮影操作を行うことが提案されている。
【先行技術文献】
【特許文献】
【０００３】
【特許文献１】特開２００８−１９９１０７号公報
【特許文献２】特開２０１３−２５４００７号公報
【発明の概要】
【発明が解決しようとする課題】
【０００４】
一方近年、背面にタッチ操作受付可能なタッチパネルがあるカメラが増えており、ユーザがカメラを首等からかけて持ち歩いた場合に、タッチパネルにユーザの体があたり意図しない機能が実行されてしまうことがある。また、特許文献１のように、タッチ操作によって電源がオフからオンになってしまうと、ユーザがカメラを首等からぶら下げて持ち歩く際に、ユーザの体があたり電源がオンになってしまう可能性がある。このようにタッチ操作に応じて電源がオンになると、ユーザの体等がタッチパネルに接触すると意図しない動作が行われる可能性があり好ましくない。一方で、特許文献２のように、表示部を反転させて撮影を行っている時には、ユーザがカメラの撮像部側（前面側）にいる可能性が高く、表示部へのタッチ操作は行いやすくなるが、カメラの背面側の操作部材は操作がしにくい。
【０００５】
本発明は、上記の課題に鑑み、タッチパネル等の表示部のオンとオフなどを操作性良く切り替え可能な撮像装置の提供を目的とする。
【課題を解決するための手段】
【０００６】
上記目的を達成するために、本発明の撮像装置は、表示部へのタッチ操作を検出可能なタッチ検出手段と、少なくとも、撮像部の撮像方向と、反対方向の一方に表示方向を選択的に変更可能な表示部と、前記表示部にタッチ操作を受け付ける所定のアイテムが表示される第一の状態と、前記所定のアイテムが表示されない第二の状態とのいずれかに前記表示部の状態を切り替え可能な切替手段と、前記表示部が前記第二の状態でかつ、前記表示部の表示方向が前記反対方向の場合には前記表示部へタッチ操作が行われても前記第二の状態から前記第一の状態に切り替わらず、前記表示部が前記第二の状態でかつ、前記表示部の表示方向が前記撮像方向の場合には前記表示部へのタッチ操作に応じて前記第二の状態から前記第一の状態に切り替わるように制御する制御手段とを有することを特徴とする。
【発明の効果】
【０００７】
本発明によれば、タッチパネル等の表示部のオンとオフなどを操作性良く切り替え可能になる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態の表示部の節電処理を示す図
【図４】本実施形態における表示部の表示例を示す図
【発明を実施するための形態】
【０００９】
以下、図面を参照して本発明の好適な実施形態を説明する。
【００１０】
＜第１実施形態＞
図１は本発明の撮像制御装置の一例としてのデジタルカメラ１００の外観図を示したものである。
【００１１】
デジタルカメラ１００は、本体部２１とモニタ部２０によって構成されており、モニタ部２０は本体部２１に対して所定の範囲で回転可能（位置の変更可能）である。よって、ユーザは表示部２８の表示方向を選択的に変更することができる。図１（ａ）は、モニタ部２０が本体部２１に収納されている状態を示しており、回転角度Θ＝０であるとする。図１（ｂ）は、モニタ部２０が本体部２１に対して回転角度Θ＝Θｈ回転しているが、表示部２８と撮像部２２は反対方向を向いており、撮像部２２側にいるユーザからは表示部２８が確認できない場合を示している。図１（ｃ）は、モニタ部２０が本体部２１に対して回転角度Θ＝Θｓ（＞Θｈ）回転しており、表示部２８を撮像部２２が同じ方向を向いており、撮像部２２側にいるユーザから表示部２８を確認することができる場合を示している。
【００１２】
図１（ｄ）は、ユーザが自分撮り（自撮り）をしている様子の一例を示したものであり、表示部２８には撮影者（被写体）が表示（ライブビュー表示）されている。このような場合には、図１（ｃ）のように表示部２８を反転すると、撮影者自身（被写体自身）が表示部２８の表示を見ながら撮影を行うことができる。表示部２８は画像や各種情報を表示する表示部であり、タッチパネル７０ａは表示部２８に重畳して設けられている。自撮りモード（自分撮りモード、セルフポートレートモード、セルフィモード等）は、人物被写体をよりきれいに撮影するのに適した撮影モードである。自撮りモードでは、検出した主顔に対して、撮影者（被写体）自身の顔に、肌がよりきれいにみえるような効果（美肌効果）をかけたり、明るさを調整したり、人物の顔が引き立つように背景をぼかしたりすることができる。人物の顔が小さくなるように効果をかける小顔効果や、目を大きくする効果、細身に見せる効果等をかけても良い。また、自撮りモードでは、人物の顔領域に合焦するようにする顔ＡＦを行うことができ、顔ＡＦと同時に顔ＡＥ，顔ＦＥ、顔ＷＢも行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。美肌効果とは、設定された美肌の強さに応じて、肌をなめらかにして、きれいにみえるようにする効果である。美肌効果をかける美肌処理では、顔を検出すると目、鼻、口が含まれる範囲を検出し、検出した範囲の中のＹＵＶの値を取得する。算出したＹを低活化することで肌領域が平滑化され、しわ等を目立たなくする（しわ等の凸凹をぼかす）ことができる。また、ＵＶの値を平均化し、平均化した色で肌部分を塗るようにすることで肌の色ムラが小さくなる。
【００１３】
シャッターボタン６１は撮影指示を行うための操作部である。モード切替スイッチ６０は各種モードを切り替えるための操作部である。コネクタ１１２は例えばＰＣやプリンタと接続するための接続ケーブル１１１とデジタルカメラ１００に接続するためのコネクタである。電源スイッチ７２は、電源オン、電源オフを切り替えるための押しボタンである。記録媒体２００はメモリカードやハードディスク等の不揮発性の記録媒体である。操作部７０はユーザからの各種操作を受け付ける各種スイッチ、ボタン、タッチパネル等の操作部材より成る操作部である。操作部７０の各操作部材は、表示部２８に表示される種々の機能アイコンを選択操作することなどにより、場面ごとに適宜機能が割り当てられ、各種機能ボタンとして作用する。機能ボタンとしては、例えばＳＥＴボタン６５、十字キー６６、メニューボタン６７、ライブビューボタン６８、ダイヤル６９等がある。例えば、メニューボタン６７が押されると各種の設定可能なメニュー画面が表示部２８に表示される。利用者は、表示部２８に表示されたメニュー画面と、十字キー６６の上下左右の４方向ボタンやＳＥＴボタン６５とを用いて直感的に各種設定を行うことができる。ダイヤル６９への回転操作によっても、操作量に応じて選択する項目の変更等を行うことができる（受付可能）。リモコン受信部１２０は、撮影指示等の指示（操作指示）をリモコン等の通信装置から受け付ける受信部である。撮影指示等の操作指示は、リモコンによる指示（リモコンモード）、リモコン以外の部材による指示（非リモコンモード）のどちらでも受け付けられるようにしてもよいし、いずれかによる指示を受け付けるように設定してもよい。
【００１４】
図２は、本実施形態によるデジタルカメラ１００の構成例を示すブロック図である。
【００１５】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１６】
画像処理部２４は、Ａ／Ｄ変換器２３からのデータ、又は、メモリ制御部１５からのデータに対し所定の画素補間、縮小といったリサイズ処理や色変換処理を行う。
【００１７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記録容量を備えている。
【００１８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、ライブビュー画像表示（ライブビュー表示）を行える。
【００１９】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。システム制御部５０は、モニタ部２０の本体部２１に対する位置も検知可能である。モニタ部２０の位置の検知方法としては、モニタ部２０の移動に応じて物理的に切り替わるスイッチの入力状態を検知して、モニタ部２０が所定の位置（角度）から開いた状態にあるかを検知する方法がある。または、電気的にモニタ部２０の位置を算出してもよい。このようにモニタ部２０の位置を検知することで、モニタ部２０が本体部２１に対して反転しているか（表示方向が撮像部２２と同じ方向を向いているか）否かを判定することができる。
【００２１】
システムタイマー５３は各種制御に用いる時間や、内蔵された時計の時間を計測する計時部である。
【００２２】
モード切替スイッチ６０、シャッターボタン６１等の操作部７０はシステム制御部５０に各種の動作指示を入力するための操作手段である。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２５】
電源部３０は、アルカリ電池やリチウム電池等の一次電池やＮｉＣｄ電池やＮｉＭＨ電池、Ｌｉ電池等の二次電池、ＡＣアダプター等からなる。電源スイッチ７２は、ユーザからの電源のＯＮとＯＦＦの操作を受けシステム制御部５０に伝える。
【００２６】
記録媒体Ｉ／Ｆ１８は、メモリカードやハードディスク等の記録媒体２００とのインターフェースである。記録媒体２００は、撮影された画像を記録するためのメモリカード等の不揮発性の記録媒体であり、半導体メモリや光ディスク、磁気ディスク等から構成される。
【００２７】
通信部５４は、無線または有線ケーブルによって外部機器やネットワークと接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（ライブビュー画像）や、記録媒体２００に記録された画像を送信可能であり、また、外部機器から画像データやその他の各種情報を受信することができる。
【００２８】
リモコン受信部１２０は、赤外線リモコンからのリモコンキーを受信する。リモコンにより遠隔で撮影開始の指示を受け付けることができる（リモコンモード）。リモコン受信部１２０は、コネクタ１１２で外部通信機器の信号を受信するようにされた場合にも、外部通信機器からの撮影指示等の指示を受け取る。
【００２９】
なお操作部７０の一つとして、表示部２８に対する接触を検出可能（タッチ検出）なタッチパネル７０ａを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネルへの以下の操作。あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３０】
タッチダウンが検出されると、同時にタッチオンであることも検出される。タッチダウンの後、タッチアップが検出されない限りは、通常はタッチオンが検出され続ける。タッチしていた全ての指やペンがタッチアップしたことが検出された後は、タッチオフとなる。
【００３１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３２】
次に、デジタルカメラ１００に設定可能な表示部２８の節電、誤タッチ防止のための消灯機能について説明する。
【００３３】
節電設定がＯＮに設定されると、所定の操作（節電状態、誤タッチ防止状態に遷移しないようにする操作）が所定時間行われなかったことに応じて表示部２８の輝度を低減したり、消灯する節電状態（節電機能の実行）になる。同様に、所定時間ユーザからの操作が行われなった場合に、ユーザの意図しない主にタッチ操作による誤動作を防ぐために、タッチ操作等を受け付けない誤操作防止状態に移行する場合もある。例えば、ユーザからの操作部７０への操作が所定時間以上行われなければ、ユーザが操作をしようとしていない状態であると判定して、表示部２８の輝度を通常の視認性の高い輝度で表示しておくよりも、輝度を低減したり、表示をしないようにした方がよい。このように表示部２８へ節電機能を実行すると、不必要な電力が消費されず節電することができる。
【００３４】
また、タッチパネル７０ａへのユーザからのタッチが所定時間以上行われなければ、ユーザがタッチをしようとしてないと判定して表示部２８を消灯する。ことのき、タッチパネルへのタッチが行われたことに応じて対応する機能を実行しないようにするので、ユーザの意図しないタッチによって機能実行されなくなる。ユーザからのタッチパネル７０ａへのタッチが所定時間以上行わなければ、例えばユーザが首や肩からデジタルカメラ１００をぶら下げたりして、タッチを行おうとしていない状態であると想定される。よって、表示部２８を消灯してタッチ操作に応じて動作しないようにした方が、ユーザの意図しないタッチによって項目の変更等の機能の実行がされにくくなる。
【００３５】
これらの節電状態や誤タッチ防止状態を中止し元の状態に戻す、または節電状態や誤タッチ防止状態に移行するまでの時間を延ばすにはボタンの押下やタッチ操作といった所定の操作を行えばよい。
【００３６】
一方、上述したように、一般的に自分撮りは自身の写る角度や表情等を確認した上で撮影を行うものであり、撮影指示の操作を行うまでに時間を要することが多く、撮影指示をするまでの間には操作を行っていない状態が続くことが多い。このような自分撮りの撮影準備の途中に、節電状態や誤操作防止状態に入らないように（または、節電状態に入ってしまった後に通常状態に戻るように）するために、撮影者（操作者）が何度も操作を行うと撮影準備が中断され好ましくない。また、節電状態に入るのを防ぐために、撮影準備中であるにも関わらず、何度も撮影指示をすると、撮影指示をするたびに撮影が行われ、ユーザの好ましくない画像が記録されてしまう。
【００３７】
また、自分撮り等の撮影では表示部２８を反転した状態でデジタルカメラ１００を保持しながら撮影をすることが多く、このような場合には特にユーザのいる側（撮像部側）とは反対側の部材（十字キー６６等のある側の操作部材）への操作がしにくくなる。撮影者（操作者）が何度も節電状態や誤操作防止状態から通常の状態に戻るために体勢を変えて操作を行うと、せっかく決めた角度や表情等が変わってしまう可能性があり好ましくない。また、近年、長い棒等の先に撮像装置を付けて通信を行って撮影指示をして自分撮りを行う場合がある。ユーザの手の届かないところにデジタルカメラ１００がある場合に、デジタルカメラ１００の操作部７０等に直接操作をするためには、一度撮影準備を中断する必要がある。
【００３８】
このように、表示部２８やタッチパネル７０ａを反転した場合の節電状態と誤タッチ防止状態に移行する処理について図３、図４を用いて説明する。
【００３９】
図３を用いて、本実施形態における表示部動作処理について説明する。本実施形態は所定時間以上ユーザの操作が行われなかった場合に、表示部２８の輝度を低くする、消灯する、電源を切るようにすることに関する。なお、この処理はデジタルカメラ１００の電源がＯＮになり、表示部２８への表示が可能になると開始される。この処理は、不揮発性メモリ５６に記録されたプログラムをシステムメモリ５２に展開してシステム制御部５０が実行することで実現する。
【００４０】
Ｓ３０１では、システム制御部５０は、表示部２８の電源をＯＮにし、表示部２８の明るさの指標である輝度を輝度Ａ＝αに設定する。輝度Ａ＝αを節電状態でない状態である通常状態の輝度であるものとする。図４には、通常状態と節電状態、消灯状態の場合の表示部２８の一例を示しており、図４（ａ）は通常状態であり、ライブビュー画像４０１の視認性が高くなるように明るく表示されている。
【００４１】
Ｓ３０２では、システム制御部５０は、無操作時間Ｔｓ＝０に設定する。無操作時間Ｔｓが時間閾値を超えた場合には通常状態から、表示部２８が消灯し、節電状態もしくはタッチ操作に応じた機能を実行しない（タッチ受付ＯＦＦ）状態に移行する。通常、無操作時間Ｔｓはユーザによって操作が行われていない無操作状態の時間、最後に検出された操作が行われてからの経過時間を示す。
【００４２】
Ｓ３０３では、システム制御部５０は、無操作時間Ｔｓの計測を開始し、カウントアップする。
【００４３】
Ｓ３０４では、システム制御部５０は、表示部２８及びタッチパネル７０ａ（モニタ部２０）の向きが対面位置であるか否かを判定する。対面位置とは、図１（ｃ）に示すモニタ部２０の回転角度Θ＝Θｓのような、表示部２８の表示面が撮像部２２と同じ方向を向いている場合を示す。対面位置にユーザがした場合には、例えば自撮りモード等で撮像部２２側にいる被写体が、撮像部２２によって撮像されている様子を、表示部２８を見て確認しながら撮影を行おうとしていると想定される。対面位置であると判定した場合には、Ｓ３０５へ進み、そうでない場合は、Ｓ３０６へ進む。
【００４４】
Ｓ３０５では、システム制御部５０は、デジタルカメラ１００が撮影待機状態であるか否かを判定する。撮影待機状態とは、再生画面やメニュー画面とは異なり、表示部２８に撮像部２２により撮像されているライブビュー画像（スルー画像）が表示されている状態（表示状態）である。撮影待機状態であると判定した場合は、Ｓ３０７へ進み、そうでない場合は、Ｓ３０６へ進む。
【００４５】
Ｓ３０６では、システム制御部５０は、表示部２８が対面位置でない場合、もしくは対面位置だが撮影待機状態（ライブビュー画像表示中）でない場合の、表示部２８の輝度を下げるまでの時間閾値、消灯するまでの時間閾値、電源を切るまでの時間閾値を設定する。設定された時間閾値以上ユーザが操作を行わなかった場合には、ユーザがもう操作をしないとして表示部２８の輝度を下げたり、消灯するが、表示部２８の電源がＯＦＦにならなければ所定の操作が行われたことに応じて復帰（輝度を上げる、点灯する）する。一方で、デジタルカメラ１００の電源がＯＦＦになった場合には電源スイッチ７２を押下して電源をＯＮにしなければ、表示部２８への表示はされない。輝度が下がるまでの時間閾値Ｔ１はｔ１、表示部２８が消灯されるまでの時間閾値Ｔ２はｔ２、デジタルカメラ１００の電源がＯＦＦになるまでの時間閾値Ｔ３はｔ３に設定される。時間閾値Ｔ１〜Ｔ３に設定される値は、ｔ１＜ｔ２＜ｔ３の関係になるように設定される。（ｔ１、ｔ２、ｔ３）の設定の一例としては、（１０秒、２０秒、３０秒）や、（１５秒、３０秒、６０秒）といったものがある。このように設定すると、表示部２８の電源が切られる前に、表示部２８の輝度が下がり、次に表示部２８が消灯するので、突然デジタルカメラ１００の電源がＯＦＦにならず、ユーザがなぜ電源がＯＦＦになったのか混乱しにくくなる。
【００４６】
Ｓ３０７では、システム制御部５０は、表示部２８が対面位置であり、撮影待機状態である場合の表示部２８の輝度を下げるまでの時間閾値、消灯するまでの時間閾値、電源を切るまでの時間閾値を設定する。時間閾値Ｔ１はｔ４（＞ｔ１）、時間閾値Ｔ２はｔ５（＞ｔ２）、時間閾値Ｔ３はｔ６（＞ｔ３）に設定される。時間閾値Ｔ１〜Ｔ３に設定される値は、ｔ４＜ｔ５＜ｔ６の関係になるように設定される。対面位置の場合にはいずれの時間閾値も、Ｓ３０６で設定された時間閾値よりも長く設定される。つまり、撮影待機中に、表示部２８が対面位置の場合は表示部２８が収納されている場合よりも、節電状態になるのにより長い時間がかかるように設定する。このように時間閾値を設定することで、ユーザは自撮りモード等で表示部２８を対面位置にした場合に、表示部２８の表示を消さないようにするために何度も操作をして操作性が低減することがない。
【００４７】
Ｓ３０８では、システム制御部５０は、無操作時間ＴｓがＳ３０６またはＳ３０７において設定された時間閾値Ｔ３を超えたか否かを判定する。時間閾値Ｔ３（一定の期間、または、所定期間）を超えたと判定した場合は、Ｓ３０９へ進み、そうでない場合は、Ｓ３１０へ進む。
【００４８】
Ｓ３０９では、システム制御部５０は、デジタルカメラ１００の電源をＯＦＦにして表示部動作処理を終了する。
【００４９】
Ｓ３１０では、システム制御部５０は、無操作時間ＴｓがＳ３０６またはＳ３０７において設定された時間閾値Ｔ２を超えたか否かを判定する。時間閾値Ｔ２を超えたと判定した場合は、Ｓ３１１へ進み、そうでない場合は、Ｓ３１９へ進む。
【００５０】
Ｓ３１１では、システム制御部５０は、表示部２８の電源がＯＮであって、さらに消灯中であるか否かを判定する。表示部２８が消灯中であると判定した場合には、Ｓ３１３へ進み、そうでない場合は、Ｓ３１２へ進む。
【００５１】
Ｓ３１２では、システム制御部５０は、表示部２８を消灯する。このとき、Ｓ３０３で計測開始した無操作時間Ｔｓの計測は停止（リセット）せず、計測し続ける。図４（ｃ）は消灯した表示部２８を示しており、ライブビュー画像は表示されない。ただし、表示部２８が消灯されたのであって、デジタルカメラ１００の電源はＯＮのままである。
【００５２】
Ｓ３１３では、システム制御部５０は、表示部２８およびタッチパネル７０ａへのタッチ操作が行われたか否かを判定する。タッチ操作が行われたと判定した場合には、Ｓ３１４へ進み、そうでない場合は、Ｓ３１８へ進む。
【００５３】
Ｓ３１４では、システム制御部５０は、表示部２８が対面位置であるか否かを判定する。表示部２８が対面位置である場合には、Ｓ３１５へ進み、そうでない場合は、Ｓ３１７へ進む。
【００５４】
Ｓ３１５では、システム制御部５０は、表示部２８が消灯された状態であり、節電状態、タッチ操作に応じた動作をしない状態から、もとの状態に復帰する処理を行う。なお、このときの操作（Ｓ３１３で判定したタッチ、またはＳ３１８で判定したボタン操作）は、復帰にのみ用いられ、通常状態の際に割り当てられた機能は実行されない。
【００５５】
Ｓ３１６では、システム制御部５０は、表示部２８を点灯する。このとき、図４（ｃ）の表示部２８が消灯した状態から、図４（ａ）に示すような点灯した状態に切り替わり、タッチ操作に応じた機能も実行されるようになる。このように復帰すると判定されると、表示部２８が点灯し、輝度も通常状態の輝度である輝度Ａ＝αになり、節電状態やタッチ操作に応じた動作を行わない（タッチ受付ＯＦＦ）の状態ではなくなる。
【００５６】
Ｓ３１７では、システム制御部５０は、表示部２８が消灯された状態であり、節電状態、タッチ操作に応じた動作をしない状態のまま、もとの状態に復帰しないと判定し、Ｓ３０８に進み、無操作時間の計測を継続する。このように、Ｓ３１４〜Ｓ３１６で示したように、表示部２８が消灯している場合にタッチ操作が行われると、表示部２８が対面位置かそうでないかで復帰をするか否かを判定する。対面位置である場合には、操作部７０ａ等での部材への操作がしにくいため、タッチ操作で簡単に復帰できるようにする。また、対面位置でない場合には、ユーザがデジタルカメラ１００を首等からぶら下げて持ち歩いている可能性があるのでタッチ操作では復帰しないようにして、誤動作が起きにくくする。
【００５７】
Ｓ３１８では、システム制御部５０は、操作部７０に含まれるような十字キー６６やＳＥＴボタン６５、シャッターボタン６１等のタッチパネル７０ａを含まない操作部であるボタンやダイヤルへの操作があったか否かを判定する。ボタンやダイヤルへの操作があったと判定した場合は、Ｓ３１５へ進み、そうでない場合は、Ｓ３０８に進み、無操作時間の計測を継続する。
【００５８】
Ｓ３１９では、システム制御部５０は、無操作時間ＴｓがＳ３０６またはＳ３０７において設定された時間閾値Ｔ１を超えたか否かを判定する。時間閾値Ｔ１を超えたと判定した場合は、Ｓ３２０へ進み、そうでない場合は、Ｓ３２１へ進む。
【００５９】
Ｓ３２０では、システム制御部５０は、表示部２８の輝度を輝度Ａ＝αから輝度Ａ＝βに下げる。図４（ｂ）は輝度Ａ＝βになった場合の表示部２８の表示例を示しており、ライブビュー画像４０１が表示されているが、輝度が低くなったため画面が暗くライブビュー画像の視認性が低くなる。ただし、このとき輝度Ａ＝αの場合よりも消費電力は小さくなる。また、このときタッチ操作が行われた場合には行われたタッチ操作に応じた機能が実行される。
【００６０】
Ｓ３２１では、システム制御部５０は、デジタルカメラ１００への操作が行われたか否かを判定する。デジタルカメラ１００への操作が行われたと判定した場合は、Ｓ３２２へ進み、そうでない場合は、Ｓ３０８へ進み、無操作時間の計測を継続する。
【００６１】
Ｓ３２２では、システム制御部５０は、表示部２８の輝度が輝度Ａ＝βであり、輝度が下げられた状態であるか否かを判定する。輝度が下げられていると判定された場合には、Ｓ３２４へ進み、そうでない場合は、Ｓ３２５へ進む。
【００６２】
Ｓ３２３では、システム制御部５０は、表示部２８の輝度を輝度Ａ＝βから輝度Ａ＝αに上げる（元の輝度に戻る）。このように、操作が行われると、節電状態に入って下げられた輝度が通常状態の輝度に戻る。
【００６３】
Ｓ３２４では、システム制御部５０は、Ｓ３２１で判定された操作が表示部２８およびタッチパネル７０ａへのタッチ操作であったか否かを判定する。タッチ操作であったと判定した場合には、Ｓ３２５へ進み、そうでない場合は、Ｓ３２８へ進む。
【００６４】
Ｓ３２５では、システム制御部５０は、Ｓ３２４でタッチされた領域が機能対応領域であるか否かを判定する。機能対応領域とは、図４（ａ）、（ｂ）に示すような表示アイテム４０２が表示されている領域等の領域であり、タッチされたことに応じて表示アイテム４０２に対応する項目が選択されるような領域である。機能対応領域は必ずしも表示アイテムの表示されている領域でなくても、タッチ操作が行われたことに応じて、対応する機能が実行されるような領域であればよい。また、所定の領域への所定のタッチ操作に対応する機能がある場合には、行われたタッチ操作が機能に対応する操作であったか否かも判定する。機能対応領域であると判定された場合は、Ｓ３２６へ進み、そうでない場合は、Ｓ３２７へ進む。
【００６５】
Ｓ３２６では、システム制御部５０は、Ｓ３２１及びＳ３２４において検出されたタッチに対応する機能を実行する。表示アイテム４０２は、シーンモードを示す項目であり、表示アイテム４０２をタッチするとＩＳＯ感度の値を選択する画面に遷移し、ＩＳＯ感度の設定操作を行うことができる。このとき、表示部２８に表示されているライブビュー画像の一部の被写体をタッチすると、タッチした被写体に対するＡＦ（オートフォーカス）や、タッチした被写体にフォーカスした撮影を行うようにしてもよい。
【００６６】
Ｓ３２７では、システム制御部５０は、表示部２８が対面位置であるか否かを判定する。表示部２８が対面位置である場合には、Ｓ３０２へ進んで無操作時間Ｔｓの計測をリセットし（Ｔｓ＝０にし）、そうでない場合は、Ｓ３０８へ進み無操作時間の計測を継続する。
【００６７】
Ｓ３２８では、システム制御部５０は、Ｓ３２１で判定された操作がボタンやダイヤル等の操作であったか否かを判定する。ボタン操作とは、操作部７０に含まれる十字キー６６やメニューボタン６７、シャッターボタン６１への押下、ダイヤル操作はダイヤル６９の回転操作である。ボタン操作があったと判定した場合は、Ｓ３２９へ進み、そうでない場合は、Ｓ３０８へ進み無操作時間の計測を継続する。
【００６８】
Ｓ３２９では、システム制御部５０は、Ｓ３２１及びＳ３２８において検出されたボタンやダイヤル等の操作に対応する機能を実行する。
【００６９】
以上、説明した実施形態によれば表示部２８を反転して対面位置である場合で操作を行いにくい場合や、自撮りモードのような操作を行わない時間が長いような場合であっても節電状態に移行しにくくなる。また、節電状態に移行するまでの時間が長くなるので、表示部が対面位置にあり操作を行いにくいような状態でも、節電状態から通常状態に戻す操作や、節電状態に移行するまでの時間を延ばすための操作を何度も行う必要がない。よって、ユーザは節電状態に移行しないために、もしくは通常状態に戻るための操作を行ったことによって、撮影準備等の所望の操作が中断されにくくなり、操作性が向上する。また、表示部２８が対面位置でない場合には、節電状態に移行するための時間閾値が通常の時間のままであるので、節電状態により短い時間で移行し節電をすることができる。
【００７０】
また、表示部２８が対面位置にあり、撮影待機状態である場合には、時間閾値を大きくするが、撮影待機状態でない再生画面の表示中やメニュー画面の表示中には時間閾値は大きくしない。
【００７１】
なお、表示部２８の位置が対面位置か否かを判定しなくても、自撮りモードに切り替えられた場合には、節電状態に移行しにくいように節電状態に移行するまでの時間閾値を長くしてもよい。自撮りモードに設定された場合には表示部２８の位置に関わらず、撮影準備に時間を要するので、時間閾値を長くすることで、節電状態に移行しにくくなり、撮影を行いやすくなる。
【００７２】
また、撮影モードの設定や表示部２８の位置だけではなく、撮像装置がライブビュー画像（撮像画像）を表示している撮影待機状態であるか否かによって、節電状態に移行するまでの時間閾値を設定してもよい。つまり、表示部２８にライブビュー画像が表示されている場合には、ライブビュー画像が表示されていない場合よりも時間閾値が長くなるようにする。このように、撮影待機中には時間閾値を長くすることで、撮影準備に時間を要するような撮影において、撮影準備中に節電状態に移行しにくくなる。上述したような自撮りモードの場合や、表示部２８の位置が反転している場合等で、他の場合よりも時間閾値が長くなるような場合であっても、さらに撮影待機中には撮影待機中でない場合よりも時間閾値を長くしてもよい。
【００７３】
さらに、説明した実施形態によれば、表示部２８が消灯し、タッチ受付ＯＦＦに切り替わると、表示部２８（タッチパネル７０ａを含む）が対面位置にある場合にはタッチ操作で表示部２８が点灯し、タッチ受付ＯＮの状態に戻る。一方で、表示部２８が対面位置にない場合にはタッチ操作では、表示部２８が点灯せず、タッチ受付ＯＮにもならない。よって、表示部２８を反転して自撮り等で、ユーザがタッチ操作で簡単に設定の変更や撮影指示を行う場合に、誤操作防止のためのタッチ受付ＯＦＦ状態になっても容易にタッチを受け付ける状態に戻るので、操作性が低下しない。また、タッチ操作で容易に表示部２８が点灯するので、自撮り撮影等の撮影中に操作部７０を押下したりしなくても簡単にライブビュー画像を表示させることができる。また、ユーザが表示部２８を反転せずに首等からぶら下げている場合には、タッチ操作では表示部２８は消灯した状態から点灯しない（タッチ受付ＯＦＦからＯＮに切り替わらない）ので、ユーザの意図しないタッチ操作によって機能が実行されにくくなる。このように、表示部２８が対面位置か否かに応じて、タッチ操作で消灯した状態から復帰するかが変わるので、タッチ操作で容易に機能実行の指示を行いやすくなり、一方でユーザの意図しないタッチ操作がされやすい場合には誤動作が防止されやすくなる。よって、タッチ操作の操作性を向上しつつ、ユーザの意図しないタッチ操作に応じて機能が実行されにくくなる。
【００７４】
なお、節電状態への切換えを行うか行わないかをユーザが設定できるようにしてもよいし、さらに節電状態までの時間閾値をユーザが設定できるようにしてもよい。また、ユーザが節電状態に入るまでの時間閾値（ｔ１、ｔ２、ｔ３）を設定した場合には、ｔ４、ｔ５、ｔ６の値もそれぞれｔ１、ｔ２、ｔ３より長くなる。もしくはユーザがｔ４、ｔ５、ｔ６をそれぞれｔ１、ｔ２、ｔ３よりも長くなるように設定できるようにしてもよい。
【００７５】
なお、本実施形態では、表示部２８が対面位置の場合に、節電機能が実行される時間閾値が長くなったり、タッチ操作で復帰することを説明したが、これに限らず不図示のサブカメラの使用時、リモコンによる遠隔操作を受け付ける等の場合に設定してもよい。
【００７６】
サブカメラ（もしくはインカメラ）での撮像が可能な場合に、サブカメラの撮像方向は表示部２８の方向と同じ方向である。また、表示部２８と異なる方向が撮像方向であるメインの撮像部（図１の撮像部２２に相当）や、他のデジタルカメラの撮像部を含む複数の撮像部のうち、選択された撮像部の撮像画像を表示部２８に表示し、撮影を行う撮像部を選択（撮像部設定）可能である。表示部２８の表示方向と撮像方向が同じ方向であるサブカメラがある場合には、メインカメラとは異なる方向を向いているため、表示部２８が撮像部に対して対面位置に移動可能でなくても、サブカメラとメインカメラとを切り替えれば対面位置にすることができる。つまり、インカメラが使用されている場合には、節電状態に入るまでの時間をメインカメラ（もしくは他の撮像部）が使用されている場合よりも長くし、さらにインカメラが使用されている場合にはタッチ操作で消灯されていた表示部２８を復帰できるようにする。インカメラが使用されている場合の節電までの時間閾値を、インカメラを使用していない場合の節電までの時間閾値よりも長くすることで、節電状態になりにくいので自分撮り等の撮影が行いやすくなる。
【００７７】
また、リモコンによる遠隔操作が行われている場合にも操作部７０等への操作は行われないが、ユーザはデジタルカメラ１００への操作を行っていないわけではないので、節電状態に切替えるまでの閾値を長く設定してもよい。リモコンによる指示の受付状態（リモコンによる撮影指示等を行うリモコン指示モード）か否かは、リモコンケーブル等の遠隔操作を行うためのケーブルがデジタルカメラ１００に挿入されたかを検出することにより判定する。または、リモコン操作を受け付ける設定が行われたか、三脚穴に挿入されたかを検出することにより判定してもよいし、自撮りモードに設定されたことに応じてリモコン指示を受け付けるようにしてもよい。三脚穴に挿入された場合には、ユーザは三脚を使用してブレのない写真を撮影しようとしている可能性が高く、そのためユーザはデジタルカメラ１００自体を操作するよりもリモコン操作を行う可能性が高くなる。よって、三脚を使用した撮影ではリモコン操作で撮影指示や設定等が行われる可能性が高く、節電モードに切り替わりにくくするために節電状態に切替えるまでの閾値を長く設定するとよい。
【００７８】
また、本実施形態では表示部２８が対面位置であり、さらに撮影待機状態である場合に時間閾値を長く設定することを説明したが、必ずしも撮影待機状態である必要はなく、表示部２８が対面位置であれば時間閾値を長く設定してもよい。
【００７９】
また、設定可能な複数の撮影モードのうち、自分撮りモードに設定された場合には、表示部２８の位置に関わらずユーザは撮影準備に時間がかかるため、節電状態に入るまでの時間閾値を長く設定してもよい。もしくは、自撮りモードに設定され、さらに表示部２８が対面位置にしたことに応じて、節電状態に切替えるまでの閾値を長く設定する等の、上述した条件を組み合わせてもよい。
【００８０】
なお、本実施形態では、無操作時間Ｔｓが時間閾値Ｔ２を経過したことに応じて表示部２８が消灯（タッチ受付ＯＦＦ）することを説明したが、表示部２８が対面位置にある場合にはタッチ受付ＯＦＦに切り替わらないようにしてもよい。
【００８１】
また、本実施形態では表示部２８が消灯している場合には、タッチパネル７０ａへのタッチ操作に応じた機能を実行しないことを説明したが、所定値以上のタッチ面積のタッチ操作に応じては、機能を実行しないようにしたりしてもよい。つまり、消灯していない場合には行われるタッチ操作のタッチ面積に関わらずタッチ操作に応じた機能を実行する。一方、消灯している場合には大きな値のタッチ面積はユーザの意図しないタッチ操作であるとして、タッチ操作に応じた機能実行はせず、閾値未満の小さな面積のタッチ操作に応じては機能を実行する。
【００８２】
なお、本実施形態では表示部２８を反転する例として自分撮りについて説明をしたが、これに限らずユーザの足元（ローアングル）や、頭上（ハイアングル）で撮影を行う場合にも表示部２８の表示方向を変更する。例えば、足元から撮影を行うと、より広い範囲の被写体を撮影することができる。このとき、表示部２８の表示方向はユーザの方向に向き、撮像部２２の撮像方向はユーザ以外の被写体に向けられている。このような場合にも、タッチ操作で表示が消灯した状態を解除できるようにすると、操作部７０への操作のしにくい状況でも容易に表示部２８の表示を消灯した状態から点灯させることができる。
【００８３】
なお、デジタルカメラ１００の制御は１つのハードウェアが行ってもよいし、複数のハードウェアが処理を分担することで、装置全体の制御を行ってもよい。
【００８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
また、上述した実施形態においては、本発明をデジタルカメラに適用した場合を例にして説明したが、これはこの例に限定されず、撮像部との位置関係を変更可能なタッチパネル、または本体部に対して反転可能なタッチパネルを有する装置等に適用可能である。すなわち、本発明は携帯電話端末や携帯型の画像ビューワ、デジタルフォトフレーム、タッチパッド、音楽プレーヤー、ゲーム機、電子ブックリーダーなどに適用可能である。
【００８６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006532306.tif 000002
【図２】
0006532306.tif 000003
【図３】
0006532306.tif 000004
【図４】
0006532306.tif 000005